(57)【要約】【課題】ファンの排気口を上向きに設けた場合に、排気口から埃が進入することを抑制した電子機器を提供する。【解決手段】電子機器１は、内部にファンが設けられた本体部３と、本体部３に連結されたディスプレイ２と、を備える。本体部３には、上方に向けて開口する排気口２３ａと、排気口２３ａを上方から覆う庇部１３と、が設けられている。【選択図】図２
2020088253.tif 000002
【特許請求の範囲】
【請求項１】
内部にファンが設けられた本体部と、
前記本体部に連結されたディスプレイと、を備え、
前記本体部には、上方に向けて開口する排気口と、前記排気口を上方から覆う庇部と、が設けられている、電子機器。
【請求項２】
前記本体部は、前記排気口が開口する排気面を有し、
前記庇部の後端部は、前記排気面の後端部よりも後方に位置している、請求項１に記載の電子機器。
【請求項３】
前記本体部は、側面視において、上方に向かうに従って漸次後方に向かうように傾斜している、請求項２に記載の電子機器。
【請求項４】
前記排気口の下方には前記ファンのエアが吹き出す吹き出し口が配置され、
前記排気口の下端部と前記吹き出し口の上端部との間には、上下方向の隙間が形成され、
前記排気口が設けられた左右方向における範囲Ｗ１が、前記吹き出し口の左右方向における幅Ｗ２よりも大きい、請求項１から３のいずれか１項に記載の電子機器。
【発明の詳細な説明】
【技術分野】
【０００１】
本発明は、電子機器に関する。
【背景技術】
【０００２】
従来から、下記特許文献１に示されるような電子機器が知られている。この電子機器は、ディスプレイと本体部とを備えており、本体部の内部には冷却用のファンが設けられている。ファンの排気口は、本体部の側面に開口している。
【先行技術文献】
【特許文献】
【０００３】
【特許文献１】特開２０１２−２２７００号公報
【発明の概要】
【発明が解決しようとする課題】
【０００４】
このような電子機器では、排出されたエアが使用者に直接当たりにくくする等の目的で、ファンの排気口を上向きに設ける場合がある。排気口を上向きに設けた場合、埃が排気口から本体部の内部へと進入しやすかった。
【０００５】
本発明はこのような事情を考慮してなされ、ファンの排気口を上向きに設けた場合に、排気口から埃が進入することを抑制した電子機器を提供することを目的とする。
【課題を解決するための手段】
【０００６】
上記課題を解決するために、本発明の一態様に係る電子機器は、内部にファンが設けられた本体部と、前記本体部に連結されたディスプレイと、を備え、前記本体部には、上方に向けて開口する排気口と、前記排気口を上方から覆う庇部と、が設けられている。
【発明の効果】
【０００７】
本発明の上記態様によれば、ファンの排気口を上向きに設けた場合でも、排気口から埃が進入することを抑制した電子機器を提供することができる。
【図面の簡単な説明】
【０００８】
【図１】本実施形態に係る電子機器の側面図である。
【図２】図１の電子機器を後方から見た斜視図である。
【図３】図２の排気口近傍の拡大図である。
【図４】図２の本体部から背面カバーを外した状態を示す斜視図である。
【図５】図２のＶ−Ｖ断面矢視図である。
【図６】本実施形態に係る電子機器のエアフローを示す概略図である。
【発明を実施するための形態】
【０００９】
以下、本実施形態の電子機器について図面に基づいて説明する。
図１に示すように、電子機器１は、ディスプレイ２と、本体部３と、脚部４と、を備えている。ディスプレイ２は、本体部３に対して、ヒンジＨ回りに回動可能に連結されている。脚部４は、本体部３の下端部に固定されており、本体部３を支持している。
【００１０】
（方向定義）
本実施形態ではＸＹＺ直交座標系を設定して各構成の位置関係を説明する。Ｘ軸方向を左右方向といい、Ｙ軸方向を前後方向といい、Ｚ軸方向を上下方向という。また、＋Ｘ側を右方、−Ｘ側を左方、＋Ｙ側を後方、−Ｙ側を前方、＋Ｚ側を上方、−Ｚ側を下方という。上下方向から見ることを平面視といい、左右方向から見ることを側面視という。
【００１１】
ディスプレイ２は、表示部２ａと、ベゼル２ｂと、ディスプレイ筐体２ｃと、を有している。表示部２ａは、その前面に画像が表示されるように構成されている。表示部２ａとしては、液晶ディスプレイ（ＬＣＤ）、有機ＥＬなどを用いることができる。ベゼル２ｂは、長方形の枠状に形成されており、表示部２ａの周囲を囲っている。ディスプレイ筐体２ｃは、ベゼル２ｂおよび表示部２ａを支持している。ディスプレイ筐体２ｃは、本体ヒンジＨによって、本体部３に連結されている。図２に示すように、後方から見たとき、ベゼル２ｂの内側はディスプレイ筐体２ｃによって閉塞されている。
【００１２】
図１に示すように、本体部３は、側面視において略平行四辺形状に形成されており、上方に向かうに従って漸次後方に向かうように傾斜している。脚部４は、このように傾斜した本体部３が後方に倒れないように、本体部３を支持している。
【００１３】
本体部３は、筐体１０と、背面カバー２０とを備えている。本体部３の前面１２、天面１３ａ、および側面は、筐体１０に形成されている。本体部３の背面２１ｂは、背面カバー２０に形成されている。電子機器１全体の姿勢は、電子機器１の底面１１が机上などの接地面Ｔに接することで定まる。底面１１は、前後方向および左右方向に延びる平面内に位置している。
【００１４】
本実施形態では、底面１１が、本体部３の筐体１０および脚部４に跨って複数の箇所に分離して配置されている。底面１１と前面１２とがなす角度をθとすると、本実施形態では０°＜θ＜９０°となっている。すなわち、底面１１と前面１２とがなす角は鋭角である。このため、前面１２は、上方に向かうに従って、漸次後方に向かうように傾斜している。
【００１５】
このように前面１２が傾斜しているため、ディスプレイ２と前面１２との間には、揺動空間Ｓが形成されている。揺動空間Ｓの範囲内で、ディスプレイ２はヒンジＨ回りに揺動することができる。これにより、使用者は、ディスプレイ２を好みの角度に調節することができる。また、本体部３の前端部がディスプレイ２の前端部よりも後方に位置しているため、使用者に対してディスプレイ２が浮いているように見せることが可能となり、電子機器１の外観を良好にすることができる。
【００１６】
本体部３の天面１３ａ（後述する庇部１３の上面）は、底面１１と実質的に平行であり、前後方向および左右方向に沿って延びている。天面１３ａと背面２１ｂとがなす角は鋭角である。本実施形態では、天面１３ａと背面２１ｂとがなす角度は、底面１１と前面１２とがなす角度θと実質的に同じである。
【００１７】
図２に示すように、背面カバー２０は、筐体１０を後方から覆う背板部２１を有している。背板部２１は、左右方向に延びるとともに、上方に向かうに従って漸次後方に向けて延びる板状に形成されている。背板部２１は、筐体１０の前面１２と実質的に平行となっている。背板部２１には、この背板部２１を前後方向に貫通する複数の吸気口２１ａが形成されている。吸気口２１ａは、ファン３０（後述）が作動したときのエアの流入口となる。背板部２１のうち後方を向く面が、先述の背面２１ｂである。
【００１８】
背板部２１の上端部には、前方に向けて窪む凹部２２が形成されている。凹部２２は、左右方向に延びており、吸気口２１ａよりも上方に位置している。凹部２２の内面の一部は、複数の排気口２３ａが開口する排気面２３となっている。排気面２３は上方を向いており、排気口２３ａも上方に向けて開口している。
【００１９】
図３に示すように、各排気口２３ａは、前後方向に延びるスリット状に形成されている。排気口２３ａは、左右方向に間隔を空けて複数形成されている。各排気口２３ａは、ファン３０が作動したときに、エアが本体部３から流出する流出口となる。
【００２０】
図４に示すように、筐体１０の内部には、ファン３０、フレーム４０、基板５０などが収容されている。ファン３０は、上方に向けて開口する吹き出し口３１を有している。ファン３０は、吹き出し口３１から上方に向けてエアを吹き出すように構成されている。フレーム４０は、ファン３０よりも上方に位置する上壁部４１を有している。上壁部４１には、ファン３０が作動した際にエアが吹き出す吹き出し口４１ａが形成されている。吹き出し口４１ａは、上方に向けて開口している。吹き出し口４１ａは、平面視において、前後方向よりも左右方向に長い長方形状に形成されている。
【００２１】
ファン３０と吹き出し口４１ａとの間には、複数のフィン部材４２が設けられている。複数のフィン部材４２は、左右方向に間隔を空けて配置されている。各フィン部材４２は、上下方向から見てＣ字状に形成されており、フィン部材４２同士の間には上下方向に延びる流路が形成されている。フィン部材４２は、後述するヒートパイプ５２の凝縮部５２ｂにおける作動流体からエアへの熱交換効率を高める役割を有している。さらに、フィン部材４２は、ファン３０から吹き出し口４１ａへと向かうエアの流れをガイドする役割も有している。なお、フィン部材４２を設けず、ファン３０を吹き出し口４１ａの下端部の近傍に配置してもよい。また、上壁部４１を設けず、図４の吹き出し口４１ａの位置に、ファン３０の吹き出し口３１を配置してもよい。
【００２２】
基板５０には、電子部品５１などが実装されている。電子部品５１は、ＣＰＵ，ＧＰＵ等であり、熱を発する。電子部品５１の近傍にはヒートパイプ５２が設けられている。ヒートパイプ５２は、例えば、銅管と、銅管内に密封された作動流体およびウィックとを有している。ウィックには複数の細孔が形成されており、液相の作動流体が細孔に接することで、毛管力が生じるように構成されている。ヒートパイプ５２の電子部品５１側の端部は蒸発部５２ａとして機能し、吹き出し口４１ａ側の端部は凝縮部５２ｂとして機能する。
【００２３】
蒸発部５２ａでは、作動流体が電子部品５１から熱を受け取って蒸発する。蒸発した作動流体は、凝縮部５２ｂへと向かい、凝縮部５２ｂでファン３０の吹き出し口３１から吹き出すエアによって冷却されて凝縮する。凝縮した作動流体は、ウィックの細孔が生じさせる毛管力によって蒸発部５２ａへと戻る。蒸発部５２ａに戻った液相の作動流体は、電子部品５１の熱により再び蒸発する。
【００２４】
このように、ヒートパイプ５２は、電子部品５１からファン３０の吹き出し口３１、４１ａへと熱を継続して輸送するように構成されている。したがって、ヒートパイプ５２およびファン３０によって、電子部品５１を継続して冷却することができる。
【００２５】
ここで、図３に示すように、本実施形態の本体部３には、排気口２３ａを上方から覆う庇部１３が設けられている。庇部１３は、左右方向に延びており、排気面２３の全体を上方から覆っている。庇部１３の後端部は、排気面２３の後端部よりも後方に位置している。
【００２６】
このように、排気口２３ａを上方から覆う庇部１３により、上方に向けて開口する排気口２３ａから埃などが本体部３の筐体１０内に進入することを抑止することができる。したがって、本体部３内に進入した埃を清掃する作業の頻度を低減したり、埃による電子機器１の動作不良を抑制したりすることができる。さらに、庇部１３が設けられていることで、排気口２３ａを通して本体部３の内部が視認されにくくなっており、電子機器１の外観を良好にすることができる。
【００２７】
また、庇部１３の後端部は、排気口２３ａが開口する排気面２３の後端部よりも後方に位置している。このため、排気面２３に埃が溜まったり、排気面２３に溜まった埃が排気口２３ａから本体部３内に落下したりすることを、より確実に抑制できる。
【００２８】
また、本体部３は、側面視において、上方に向かうに従って漸次後方に向かうように傾斜している。このため、例えば庇部１３が本体部３から後方に突出した形状としなくても、庇部１３の後端部を排気面２３の後端部よりも後方に位置させることができる。したがって、本体部３の外観を良好にしつつ、排気口２３ａ内に埃などが進入することを抑制できる。
【００２９】
また、図５に示すように、ファン３０のエアが吹き出す吹き出し口４１ａが、排気口２３ａの下方に配置されている。そして、排気口２３ａの下端部と吹き出し口４１ａの上端部との間には上下方向の隙間Ｇが形成されている。さらに、排気口２３ａが設けられた左右方向における範囲Ｗ１（図２参照）が、吹き出し口４１ａの上端部の左右方向における幅Ｗ２（図６参照）よりも大きくなっている。この構成により、図６に示すように、吹き出し口４１ａから上方に吹き出されたエアを、左右方向に拡散させたうえで、複数の排気口２３ａから排出することができる。これにより熱交換効率が高まり、より効果的に本体部３の内部を冷却することが可能となる。
【００３０】
なお、本発明の技術的範囲は前記実施の形態に限定されず、本発明の趣旨を逸脱しない範囲において種々の変更を加えることが可能である。
【００３１】
例えば、前記実施形態では、本体部３が上下方向に対して傾斜していたが、本体部３が上下方向に直立した形態を採用してもよい。この場合でも、排気口２３ａを上方から覆う庇部１３を設けることで、排気口２３ａを通じて埃などが本体部３内に進入することを抑制できる。さらに、この場合に、庇部１３を本体部３から後方に向けて突出させて、庇部１３の後端部を排気面２３の後端部よりも後方に位置させてもよい。
【００３２】
また、本実施形態ではスリット状の排気口２３ａが複数形成されていたが、排気口２３ａの形状は適宜変更可能である。例えば、メッシュ状の排気口２３ａを採用してもよい。
【００３３】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００３４】
１…電子機器  ２…ディスプレイ  ３…本体部  １３…庇部  ２３…排気面  ２３ａ…排気口  ３０…ファン  ３１、４１ａ…吹き出し口  Ｘ…左右方向  Ｚ…上下方向
【図１】
2020088253.tif 000003
【図２】
2020088253.tif 000004
【図３】
2020088253.tif 000005
【図４】
2020088253.tif 000006
【図５】
2020088253.tif 000007
【図６】
2020088253.tif 000008